(57)【要約】【課題】  投射光学系に、１枚の非球面投射ミラーを用いた構成とすることで、スクリーンに対して近傍に設置することが可能な投射表示装置を提供する。【解決手段】  投射映像は、非球面投射ミラー２を１度介してスクリーン３に向けて投射される。非球面投射ミラー２は、非球面投射ミラー回転軸２ａを軸に開閉するようにしており映像投射時は、実線のように開状態となり、電源ＯＦＦ時は矢印の方向に倒れ、破線で示すように投射表示装置の筐体１の内部に格納される。映像ソースである、光ディスク５あるいはメモリ７は、スクリーン３とは逆の筐体面に配置しており、投射光を遮ることがなくユーザ側に位置するようにする。【選択図】      図２
2005107218.tif 000002
【特許請求の範囲】
【請求項１】
光源と、表示素子と、投射光学系に設けられた１枚の開閉可能な非球面投射ミラーと、少なくとも１つの映像供給装置とを備え、前記光源から出射された光を、前記映像供給装置から供給された映像信号に応じて前記表示素子で変調し、この変調された映像信号を非球面投射ミラーを介し投射する投射表示装置であって、
前記非球面投射ミラーの開閉を行う開閉駆動部と、
前記投射表示装置の起動及び終了動作を検出する動作検出部と、
前記光源、前記映像供給装置及び前記開閉駆動部を制御する制御手段と、
を具備し、
前記制御手段は、前記動作検出部にて投射表示装置の起動が検出された場合、前記非球面投射ミラーを前記開閉駆動部により開成状態にさせるとともに、前記光源及び前記映像供給装置を起動して映像を投射し、前記動作検出部にて投射表示装置の終了が検出された場合、前記非球面投射ミラーを前記開閉駆動部により閉成状態にさせるとともに、前記光源及び前記映像供給装置の動作終了させ、前記投射表示装置の動作を終了させるようにしたことを特徴とした投射表示装置。
【発明の詳細な説明】
【技術分野】
【０００１】
本発明は、投射表示装置に関し、特に投射するスクリーンまでの投射距離を短縮して該スクリーン近傍に設置可能である投射表示装置に関する。
【背景技術】
【０００２】
従来、映像を高画質大画面で表示するためには、スクリーンとそのスクリーンに向かって、前方から投射するフロントプロジェクタが用いられている。しかしながら、スクリーンサイズ（投射画像サイズ）を大きくしようとすると、どうしてもある程度の投射距離が必要であるという問題があった。また、この投射距離を短くするためは、投射レンズの一番スクリーン側のレンズを大口径化し、さらにレンズ曲率が大きいものを使用しなければならないという問題があった。
【０００３】
そこで、プロジェクタをリアプロジェクション方式とし、装置全体の奥行き及び大きさを小型化した投射方法が提案されている（例えば、特許文献１参照。）。これは、画像表示素子により変調され得られた投射画像を、複数の結像用ミラーを介することにより、プロジェクタの奥行き方向の大きさを減少しているものである。
【０００４】
【特許文献１】特開２００２−２０７１９０公報
【発明の開示】
【発明が解決しようとする課題】
【０００５】
ところで、上述の特許文献１のリアプロジェクタでは、投射系に複数の反射ミラーを用いるため各ミラーの表面精度や光学的配置を正確に合わさなければならず、組立工程が複雑となり、また保守管理も必要であるといった問題があった。
【０００６】
さらに、上述の特許文献に限らず、従来の投射表示装置は、映像ソースであるＤＶＤプレーヤー、ＢＳデジタルチューナー、ＶＴＲ、またアンプリファイア、スピーカなど複数の装置と相互に接続する必要があり、投射表示装置の設置が煩雑であるという問題があった。
【０００７】
本発明は、以上の点に鑑みなされたもので、小スペースでの設置が可能でさらに操作が簡素である投射表示装置を提供することを目的とする。
【課題を解決するための手段】
【０００８】
本発明は、上記課題を解決するために、以下に記載の手段よりなる。
すなわち、
光源と、表示素子と、投射光学系に設けられた１枚の開閉可能な非球面投射ミラーと、少なくとも１つの映像供給装置とを備え、前記光源から出射された光を、前記映像供給装置から供給された映像信号に応じて前記表示素子で変調し、この変調された映像信号を非球面投射ミラーを介し投射する投射表示装置であって、
前記非球面投射ミラーの開閉を行う開閉駆動部と、
前記投射表示装置の起動及び終了動作を検出する動作検出部と、
前記光源、前記映像供給装置及び前記開閉駆動部を制御する制御手段と、
を具備し、
前記制御手段は、前記動作検出部にて投射表示装置の起動が検出された場合、前記非球面投射ミラーを前記開閉駆動部により開成状態にさせるとともに、前記光源及び前記映像供給装置を起動して映像を投射し、前記動作検出部にて投射表示装置の終了が検出された場合、前記非球面投射ミラーを前記開閉駆動部により閉成状態にさせるとともに、前記光源及び前記映像供給装置の動作終了させ、前記投射表示装置の動作を終了させるようにしたことを特徴とした投射表示装置。
【発明の効果】
【０００９】
投射表示装置の投射系に、１枚の非球面投射ミラーを用いた構成とすることで、スクリーンに対して近傍の位置に投射表示装置を設置することが可能となり、小スペースで大画面映像を視聴することが可能な投射表示装置を提供することができる。
また、単一の筐体内に短焦点の投射表示装置と記録媒体の記録再生装置とＴＶチューナ等の映像ソース装置とを設ける構成としたことで、装置間の相互接続が不要となるため大画面に投射表示するための複数の装置間の接続や操作が不要となり、簡素な操作で映像を視聴することが可能な投射表示装置を提供することができる。
【００１０】
非球面投射ミラーの開閉、あるいは記録媒体の挿入取り出し、操作スイッチや赤外線リモコンによる動作開始停止操作により各装置が連動して制御され、投射表示装置の起動及び終了が行われるため、各装置それぞれの操作を行う必要がなく操作の煩雑性が解消され、ユーザの使い勝手を向上した投射表示装置を提供することができる。
さらには、投射表示装置の出射光方向と逆方向の筐体側部に記録媒体の挿入口、赤外線リモコン受光部、操作スイッチ等を配置することで、投射表示装置をスクリーン近傍に設置しても、記録媒体の挿入口、赤外線リモコン受光部、操作スイッチ等はユーザ側に位置するようにしたので、操作し易くユーザの使い勝手を向上した投射表示装置を提供することができる。
【発明を実施するための最良の形態】
【００１１】
以下、本発明に係る投射表示装置の発明を実施するための最良の形態につき、好ましい実施例により説明する。本実施例では、投射表示装置に内蔵する映像ソースを光ディスク、半導体記録媒体であるメモリ、ＴＶチューナとする例を用いて説明する。
図１は、本実施例に適用される投射表示装置の設置例を示す図である。図２は、本実施例に適用される投射表示装置の外観図の一例を示す図である。
【００１２】
図１に示すように、筐体１には、１枚の非球面投射ミラー２を持つプロジェクタが内部に設けられており、赤外線リモコン受光部８、操作スイッチ９、テレビチャンネル表示部１０は映像の投射表示方向であるスクリーン３とは１８０度逆の筐体側部１ａに設けている。また、記録媒体の挿入口４,６を映像の投射表示方向であるスクリーン３とは異なる筐体側部に備えるようにしており、本実施例では前述の操作部表示と同じ１ａに設けている。
【００１３】
図２を用いてさらに詳細に説明する。同図（ａ）は側面から、（ｂ）は上面から投射表示装置とスクリーンとを示した図である。同図に示すように、投射映像は非球面投射ミラー２を１度介してスクリーン３に向けて投射される。非球面投射ミラー２は、非球面投射ミラー回転軸２ａを軸に開閉するようにしており映像投射時は、同図実線のように開状態となり、電源ＯＦＦ時は矢印の方向に倒れ、破線で示すように筐体１の内部に格納される。映像ソースである、光ディスク５あるいはメモリ７は、スクリーン３とは逆の筐体面に配置しており、投射光を遮ることがなくユーザ側に位置するようにしたので、操作しやすくユーザの使い勝手を向上したものである。
このように、非球面投射ミラー２を持つプロジェクタは、スクリーン３近傍に筐体１を設置することが可能となり、スクリーン３に対して大画面の投射表示のために必要なスペースは小さくても十分である。
【００１４】
次に、図３に概略ブロック図、図４，５にフローチャートの一例を示し本実施例に適用される投射表示装置の動作を説明する。
図３に示すように、本実施例に適用される投射表示装置は、記録媒体である光ディスク５、メモリ７、光ディスク検出部５ａ、メモリ検出部７ａ及びこれら記録媒体に対して記録再生を行う記録再生回路１１、記録再生データを一時保持するデータバッファ１２、表示制御部１３、制御情報表示部１０、ＴＶチューナ、アンテナ１７、表示素子１５、非球面投射ミラー２、非球面投射ミラー２の開閉を駆動する開閉駆動部２０、プロジェクタランプ１９、冷却ファン１８、赤外線リモコン受光部８、操作スイッチ９、及びこれらを制御するシステム制御部１４から構成される。
【００１５】
光ディスク５、あるいはメモリ７を再生して得られたデータは、記録再生回路１１で映像データに整形した後、データバッファ１２に供給され一時保持される。システム制御部１４は、表示素子１５の駆動タイミングに合わせデータバッファ１２に保持された映像データを表示制御部１３に供給し、さらに表示素子１５に応じた駆動信号とした後、表示素子１５に供給する。このとき、制御情報があれば制御情報表示部１０に表示されたデータいわゆるＯＳＤデータを合わせて表示素子１５に供給する。
【００１６】
映像ソースがＴＶ信号の場合、ＴＶチューナからの映像データがシステム制御部１４を介してデータバッファ１２に供給され、同様に表示素子１５に供給する。冷却ファン１８を備えたプロジェクタランプ１９からの照明光が、表示素子１５に入射され変調された映像光が非球面投射ミラー２を介して出射される。また、ＴＶチューナの映像データを光ディスク５、あるいはメモリ７に記録することもできるようにしている。
【００１７】
以下、図４，５のフローチャートを用いて制御動作を説明する。
投射表示装置で視聴を開始する場合、いずれの記録媒体あるいは記録媒体以外（ＴＶチューナ）を選択する（Ｓ４００）。メモリ７を選択した場合（Ｓ４００メモリ）、メモリ７が挿入されたことをメモリ検出部７ａで検出（Ｓ４０２）した後、本体電源がＯＮ（Ｓ４０６）される。光ディスク５を選択し開閉スイッチを操作した場合（Ｓ４００光ディスク）、光ディスク５挿入部を開き（Ｓ４０３）、本体電源がＯＮ（Ｓ４０６）される。また、直接記録媒体が選択されない時（Ｓ４００Ｎｏ）は、電源入力操作が行われるのを検出する（Ｓ４０１）。電源入力スイッチがＯＮ（Ｓ４０４）あるいはリモコンによる電源ＯＮコードを受光（Ｓ４０５）すると、本体電源がＯＮ（Ｓ４０６）される。
【００１８】
次に、前述の電源入力の手段に基づいて入力ソースを選択する（Ｓ４０７）。光ディスク５であった場合（Ｓ４０７光ディスク）、光ディスク５を挿入（Ｓ４０８）した後、挿入されたことを光検出部５ａで検出確認（Ｓ４０９）し、記録再生回路をＯＮにする（Ｓ４１０）。メモリ７である場合（Ｓ４０７メモリ）記録再生回路をＯＮにする（Ｓ４１０）。ＴＶチューナである場合（Ｓ４０７ＴＶチューナ）ＴＶチューナをＯＮ（Ｓ４１１）した後、ＴＶチューナのチャンネルを選択（Ｓ４１２）する。
【００１９】
次に非球面投射ミラー２の開閉状態を検出する（Ｓ４１３）。開状態であればそのまま（Ｓ４１３開）、閉状態であれば非球面投射ミラー２を開いた後（Ｓ４１４）、プロジェクタランプ１９をＯＮする（Ｓ４１６）。映像が投射され（Ｓ４１６）、視聴終了の操作を検出（Ｓ４１７Ｙｅｓ）するまで映像表示を持続する（Ｓ４１７Ｎｏ）。
【００２０】
視聴終了の操作である、光ディスク５抜き取り、メモリ７抜き取り、電源スイッチＯＦＦ、あるいはリモコンによる電源ＯＦＦを検出（Ｓ４１７Ｙｅｓ）すると、まず非球面投射ミラー２の開閉状態を検出する（Ｓ４１８）。視聴をしていた場合当然非球面投射ミラー２は開状態（Ｓ４１８開）であり次に光ディスク５の有無を検出する（Ｓ４１９）。光ディスク５が検出された場合（Ｓ４１９有）光ディスクトレイ部を開き（Ｓ４２０）光ディスク５をユーザが取り出すのを待つ。光ディスク５が取り出されたのを検出した（Ｓ４２１）後、光ディスクトレイを閉じる動作を行う（Ｓ４２２，Ｓ４２３）。
視聴終了の操作は、非球面投射ミラー２の開閉コマンドを設け、非球面投射ミラー２の閉コマンドを用いる構成としてもよい。
【００２１】
光ディスク５が検出されたなかった場合（Ｓ４１９無）、メモリ７の有無を検出する（Ｓ４２４）。メモリ７が検出された場合（Ｓ４２４有）、メモリ７をユーザが取り出すのを検出する（Ｓ４２５）。光ディスク５の取り出し、あるいはメモリ７の取り出しが検出されると非球面投射ミラー２の閉動作を行う（Ｓ４２９）。メモリ７が検出されなかった場合（Ｓ４２４無）、前述の視聴終了の操作である電源スイッチＯＦＦ、あるいはリモコンによる電源ＯＦＦによる操作に従い（Ｓ４１６，Ｓ４２７，Ｓ４２８）非球面投射ミラー２の閉動作を行う（Ｓ４２９）。
【００２２】
次に、非球面投射ミラー２が閉状態とされたので（Ｓ４１８閉）、プロジェクタランプ１９の状態を検出する（Ｓ４３０）。プロジェクタランプ１９がＯＮ（Ｓ４３０ＯＮ）の場合、プロジェクタランプ１９をＯＦＦし（Ｓ４３１）、プロジェクタランプ１９をＯＦＦにした後、記録再生回路及びＴＶチューナをＯＦＦする（Ｓ４３２）。そして、プロジェクタランプ１９の温度が所定の温度以下となるのを検出（Ｓ４３３）した後、冷却ファン１８をＯＦＦ（Ｓ４３４）し、投射表示装置の電源をＯＦＦする（Ｓ４３５）。
このように本実施例では、視聴開始あるいは終了の一度の操作を検出した後、複数の装置を連動させて投射表示装置の起動及び停止を制御するようにしたため、煩雑な操作は不要となる。
【００２３】
上述の説明においては、光ディスク、メモリが検出されなくなると投射表示装置の停止を制御するように構成したが、視聴終了（Ｓ４１７）を検出した際、続けて視聴するかどうか視聴続行をするかの（Ｓ４３６）表示を行い、連続して視聴する場合（Ｓ４３９Ｙｅｓ）そのまま投射を続ける（Ｓ４１６）、あるいは入力ソースの切り換え（Ｓ４３８）、光ディスクやメモリの入れ換え（Ｓ４３９）を行い投射を続ける（Ｓ４１６）。視聴を中止する場合（Ｓ４３７Ｎｏ）、電源をその時点の投射表示装置の状態で、例えば記録媒体が挿入されたままの状態でＯＦＦする場合（Ｓ４４０Ｙｅｓ，Ｓ４４１Ｙｅｓ，Ｓ４４２Ｙｅｓ）、電源ＯＦＦ動作を行う（Ｓ４２６）ように構成してもよい。
【００２４】
なお、本実施例では、投射表示装置に内蔵する映像ソースを光ディスク、メモリ、ＴＶチューナとする例を示したが、そのいずれか１つ用いる構成、あるいは複数の光磁気ディスク、ＶＴＲ等他の映像ソースを組合わせる構成としてもよい。
また、上述の説明では、映像に係る動作を主に説明したが、音声に関しては音声増幅部及びスピーカーを投射表示装置に内蔵する構成としてもよいし、音声増幅部を内蔵としてスピーカーは投射表示装置の設置の状況に合わせ外部に設ける構成としてもよい。このとき、音声に関しても連動して制御するようにする。
【図面の簡単な説明】
【００２５】
【図１】本実施例に適用される投射表示装置の設置例を示す図である。
【図２】本実施例に適用される投射表示装置の外観図の一例を示す図である。
【図３】本実施例に適用される投射表示装置の概略ブロック図である。
【図４】本実施例に適用される投射表示装置の動作を説明するフローチャートの一例を示した図である。
【図５】本実施例に適用される投射表示装置の動作を説明するフローチャートの一例を示した図である。
【符号の説明】
【００２６】
１，１ａ…筐体
２…非球面投射ミラー
２ａ…非球面投射ミラー回転軸
３…スクリーン
４，６…記録媒体挿入口
４ａ…光ディスクトレイ
５…光ディスク
５ａ…光ディスク検出部
７…メモリ
７ａ…メモリ検出部
８…赤外線リモコン受光部
９…操作スイッチ
１０…制御情報表示部
１１…記録再生回路
１２…データバッファ
１３…表示制御部
１４…システム制御部
１５…表示素子
１６…ＴＶチューナ
１７…アンテナ
１８…冷却ファン
１９…プロジェクタランプ
２０…開閉駆動部
【図１】
2005107218.tif 000003
【図２】
2005107218.tif 000004
【図３】
2005107218.tif 000005
【図４】
2005107218.tif 000006
【図５】
2005107218.tif 000007